(57)【要約】【課題】電気機器の載置場所に応じて任意の位置に配線孔を設けることができ、電気機器を載置した状態における見栄えがよいキャビネットを提供することを課題とする。【解決手段】壁面１０に沿って設置され、カウンター３を備えたキャビネット１であって、前記カウンターは、その壁面側縁部と前記壁面との間に貫通溝７が形成されるよう載置され、前記カウンターの前記壁面側縁部には、該壁面側縁部の略全幅に設けられた支持部材４に片持ち支持され、前記支持部材の長手方向に沿ってスライド自在に構成されたカバー部材５が前記貫通溝を塞ぐように設けられており、該カバー部材をスライドさせて、前記壁面と前記カウンターの間に上下に貫通する配線孔９が形成されるようにしたことを特徴とする。【選択図】図１
2011024872.tif 000002
【特許請求の範囲】
【請求項１】
壁面に沿って設置され、カウンターを備えたキャビネットであって、
前記カウンターは、その壁面側縁部と前記壁面との間に貫通溝が形成されるよう載置され、
前記カウンターの前記壁面側縁部には、該壁面側縁部の略全幅に設けられた支持部材に片持ち支持され、前記支持部材の長手方向に沿ってスライド自在に構成されたカバー部材が前記貫通溝を塞ぐように設けられており、
該カバー部材をスライドさせて、前記壁面と前記カウンターの間に上下に貫通する配線孔が形成されるようにしたことを特徴とするキャビネット。
【請求項２】
請求項１において、
前記カバー部材は、複数に分割されたスライド片で構成され、該スライド片を前記支持部材に沿ってスライドさせることにより、前記スライド片と前記スライド片との間の隙間を前記配線孔とすることを特徴とするキャビネット。
【請求項３】
請求項１又は請求項２において、
前記カウンターの壁面側縁部の両隅に、前記支持部材及び前記カバー部材を被覆するエンドキャップが設けられていることを特徴とするキャビネット。
【請求項４】
請求項１〜請求項３のいずれか１項において、
前記支持部材に片持ち支持された前記カバー部材の自由端側が軟質材で形成されていることを特徴とするキャビネット。
【発明の詳細な説明】
【技術分野】
【０００１】
本発明は、壁面に沿って配置されるキャビネットに関する。
【背景技術】
【０００２】
従来より、同じ奥行き寸法とした箱型のユニットキャビネットを居室空間などに合わせ、複数組み合わせて配列させ、その上面にカウンターを載置してひとつのキャビネットを構成するものが知られている。中でもＡＶ（オーディオヴィジュアル）機器、ゲーム機などの電気機器を載置或いは収納できるキャビネットとしては、電気機器の機器配線を体裁よく配設できるな配線構造を持たせたものが知られている。
下記特許文献１には、ＡＶ機器用キャビネットが開示されており、ここには背板をキャビネットの後端よりやや前方に配置し、コンセントや機器配線を壁面と背板との間にできる空間に収容できるキャビネットが記載されている。また下記特許文献１には機器配線を引き込む円形の配線孔が、キャビネットの天板後端の中央にひとつ形成されているものが記載されている。
これによれば、ＡＶ機器の機器配線が外からみえず見栄えのよいものとすることができる。
【先行技術文献】
【特許文献】
【０００３】
【特許文献１】特開２００１−８７５４号公報
【発明の概要】
【発明が解決しようとする課題】
【０００４】
機器配線の本数が少ない場合や配線孔のすぐ近くにＡＶ機器があるような場合は、特許文献１に記載のように配線孔が天板に１箇所設けられていれば十分である。
しかしながら、ＡＶ機器に限らずゲーム機やスピーカー、パソコンなど機器配線を有する複数の電気機器がキャビネットの上に載置されている場合に配線孔が１箇所であると、その１箇所の配線孔に向かって複数の機器配線が集約されることになる。よって、電気機器の後方に複数の機器配線が配線されることになり、電気機器を載置した状態におけるキャビネットの見栄えが損なわれてしまう。
また天板に複数の配線孔が設けられたとしても、載置された電気機器の近傍に配線孔がないと機器配線を体裁よく配設できず、やはり電気機器を載置した状態におけるキャビネットの見栄えが損なわれてしまう。
【０００５】
本発明は、上記実情に鑑みなされたものであり、電気機器の載置場所に応じて任意の位置に配線孔を設けることができ、電気機器を載置した状態における見栄えがよいキャビネットを提供することを目的とする。
【課題を解決するための手段】
【０００６】
本発明に係るキャビネットは、壁面に沿って設置され、カウンターを備えたキャビネットであって、前記カウンターは、その壁面側縁部と前記壁面との間に貫通溝が形成されるよう載置され、前記カウンターの前記壁面側縁部には、該壁面側縁部の略全幅に設けられた支持部材に片持ち支持され、前記支持部材の長手方向に沿ってスライド自在に構成されたカバー部材が前記貫通溝を塞ぐように設けられており、該カバー部材をスライドさせて、前記壁面と前記カウンターの間に上下に貫通する配線孔が形成されるようにしたことを特徴とする。
【０００７】
また本発明において、前記カバー部材は、複数に分割されたスライド片で構成され、該スライド片を前記支持部材に沿ってスライドさせることにより、前記スライド片と前記スライド片との間の隙間を前記配線孔としてもよい。
【０００８】
さらに本発明において、前記カウンターの壁面側縁部の両隅に、前記支持部材及び前記カバー部材を被覆するエンドキャップが設けられているものとしてもよい。
【０００９】
そして本発明において、前記支持部材に片持ち支持された前記カバー部材の自由端側が、軟質材で形成されているものとしてもよい。
【発明の効果】
【００１０】
本発明に係るキャビネットによれば、カバー部材が支持部材に片持ち支持される構造としているので、カバー部材を容易に支持部材に取付けることができ、カバー部材を支持部材に沿って容易にスライドさせることができる。
またキャビネットの上に載置された電気機器の載置場所に応じて、カバー部材をスライドさせれば、任意の位置に配線孔を設けることができる。
すなわち、カバー部材をスライドさせることにより、電気機器の近傍に配線孔を形成することでできるので、体裁よく機器配線を配設することができ、電気機器を載置した状態におけるキャビネットの見栄えがよいものとすることができる。
【００１１】
また本発明において、カバー部材は、複数に分割されたスライド片で構成されたものとした場合は、スライド片をスライドさせ、スライド片とスライド片との間に隙間を形成するという簡易な操作で配線孔を形成することができる。
【００１２】
さらに本発明において、カウンターの壁面側縁部の両隅に、エンドキャップを設けるものとした場合は、前記支持部材及び前記カバー部材がエンドキャップで被覆されるので、スライド自在に構成されたカバー部材の調整代を形成することができる。
【００１３】
本発明において、支持部材に片持ち支持されたカバー部材の自由端側が、軟質材で形成されているものとした場合は、カバー部材の先端部が壁面と接触しても、壁面を傷つけることがない。よってキャビネットを壁面に近接して配置することができる。
【図面の簡単な説明】
【００１４】
【図１】（ａ）は本発明に係るキャビネットの一実施形態を示し、前記キャビネットに設けられたカバー部材の構成を示す要部拡大断面図である。（ｂ）は同キャビネットの概略断面図である。
【図２】同キャビネットの全体斜視図である。
【図３】同キャビネットにおけるエンドキャップの取付状態を示す部分拡大斜視図である。
【図４】同キャビネットの変形例を示しており、図１（ａ）と同様図である。
【発明を実施するための形態】
【００１５】
以下に本発明の実施の形態について、図面に基づいて説明する。
まずは本発明の実施形態の一例について図１（ａ）及び図１（ｂ）〜図３を参照しながら説明する。なお図１（ａ）は説明のため、ユニットキャビネット２の図示を省略する。
図に示すキャビネット１は、図１（ｂ）及び図２に示すように、複数のユニットキャビネット（キャビネット本体）２と、その上面に跨って載置されるカウンター３とを備え、ローボードとして適用されたものを示している。キャビネット１は、リビングなどの居室空間の壁面１０に沿って設けられ、壁面１０とユニットキャビネット２の背板２０とが接するように配置される（図１（ｂ）参照）。
カウンター３は、その壁面側縁部３０と壁面１０との間に貫通溝７が形成されるよう載置され、カウンター３の壁面側縁部３０には、その貫通溝７を塞ぐように壁面側縁部３０の略全幅に亘って支持部材４に片持ち支持されたカバー部材５が取付けられている。そして、該カバー部材５をスライドさせて、壁面１０とカウンター３との間に上下に貫通する配線孔９が形成され、カウンター３の上に載置される電気機器（８１、８２）の機器配線８を配設できるように構成されている。
【００１６】
同じ奥行き寸法とした箱型のユニットキャビネット２は、例えば３つ組み合わせて並列に配置され、床面１１に設置されている。ユニットキャビネット２は前面開口の箱体からなり、側板２０、背板２１、天板２２、底板２３を備えている。ユニットキャビネット２の前面開口は、フラップ式などの扉或いは引出しなどの前板２５で塞がれている。ユニットキャビネット２内には、棚板２６などが設けられ、ＤＶＤデッキ８０、アンプ（不図示）などのＡＶ機器や小物などが収納できる収納空間となっている。
ユニットキャビネット２の天板２２は、その壁面側端部の後方に後記する貫通溝７と連通する配線スペース２７が形成されるように配置されている。該配線スペース２７は、カウンター３の上に置かれたテレビ８１やゲーム機８２の機器配線８を引き込む配線空間となっている。またこの配線スペース２７はユニットキャビネット２内に収納されるＤＶＤデッキ８０などＡＶ機器の放熱空間にもなる。
なお、配線スペース２７は、天板２２の壁面側端部の略全幅に亘って形成されたものでもよいし、天板２２の壁面側端部を一部切欠いて形成されているものとしてもよい。
【００１７】
カウンター３は、並列に配置されるユニットキャビネット２の略全幅に合わせて形成され、集成材或いは無垢の木などからなる木質材料からなる板体であり、天板２２の上に載置される。カウンター３の上にはテレビ８１、ゲーム機８２などを載置することができる。
カウンター３の奥行き寸法は、カウンター３の壁面側縁部３０と壁面１０との間に上下に貫通した貫通溝７（図１（ａ）及び（ｂ）参照）が形成される寸法に設定され、天板２２の上に載置された際には、壁面側縁部３０と壁面１０との間に貫通溝７となる空間が形成される。この貫通溝７はカウンター３の略全幅に形成されているので、並設された複数のキャビネット本体２間における機器配線８の挿通孔としても機能する。すなわち横方向の機器配線８の配設も可能としている。
【００１８】
支持部材４は、金属材或いは樹脂材などからなり、カウンター３の壁面側縁部３０の略全幅に亘って固着されている。
支持部材４は図１（ａ）に示すように、壁面側縁部３０に固着される平板状の固定部４１と、固定部４１の上端部からカウンター３側（反壁面１０側）へ水平方向に屈曲形成され壁面側縁部３０の上方角部に被さるように形成された肩部４２と、固定部４１の下端部から水平方向に屈曲した後、垂直且つ上方向に再び屈曲形成されたカバー受け部４３とを備えている。
また固定部４１には、その中央部分より若干上方位置から壁面１０側に突出した係止部４４と、壁面側縁部３０に支持部材４を固着するためのねじ４０が挿通される挿通孔（不図示）が形成されている。
係止部４４は、断面逆Ｌ字形状に形成されており、後記するカバー部材５の嵌合部５０ａが嵌合された状態で係止できるように壁面１０側に水平方向に突出した後、垂直且つ上方向に屈曲形成されている。
図１（ａ）に示す支持部材４は、カウンター３の厚み及び幅方向の長さに合わせて形成されており、肩部４２が壁面側縁部３０の上方角部に被さるように配置した状態で、ねじ４０で壁面側縁部３０に固着される。
【００１９】
カバー部材５は、支持部材４に片持ち支持される基部５０と、壁面１０に向かって延出形成されるカバー本体５１と、カバー本体５１の先側に下向きに湾曲して形成される先端部５２（自由端）とを備えている。
基部５０及びカバー本体５１は先端部５２を支持できるよう硬質の金属材或いは樹脂材などからなり、断面略Ｌ字型に形成される。
基部５０の上端部は、支持部材４の係止部４４で係止されるようにカウンター３側に屈曲した後、下方に向かって再び屈曲形成された嵌合部５０ａが形成されており、基部５０の下端部は、支持部材４のカバー受け部４３に包持される。
図１（ａ）に示すようにカバー部材５の嵌合部５０ａは、断面逆Ｌ字形状に形成された支持部材４の係止部４４の形状に対応して、係止部４４に引っ掛けた状態で片持ち支持されるように形成される。よって、嵌合部５０ａと係止部４４の嵌合状態では、支持部材４の肩部４２における壁面側の側面と係止部４４のカウンター側の側面との間に嵌合部５０ａが強固に挟持され、この状態を維持したままカバー部材５だけが左右にスライド自在に構成される。
【００２０】
以上によれば、カバー部材５が支持部材４に片持ち支持される構造としているので、カバー部材５を容易に支持部材４に取付けることができ、カバー部材５を支持部材４に沿って容易にスライドさせることができる。
またキャビネット１の上に載置されたテレビ８１やゲーム機８２の載置場所に応じて、カバー部材５をスライドさせれば、任意の位置に配線孔９を設けることができる。
すなわち、カバー部材５を支持部材４に沿ってスライドさせることにより、テレビ８１やゲーム機８２の近傍に配線孔９を形成することでできるので、体裁よく機器配線８を配設することができる。よって、テレビ８１やゲーム機８２などをカウンター３の上に載置した状態におけるキャビネット１の見栄えがよいものとすることができる。
【００２１】
カバー部材５は、好ましくは複数に分割されたスライド片５ａ（図２参照）で構成され、カバー部材５の長手方向の長さ、すなわち複数のスライド片５ａを連ねた長さは、支持部材４の全長（すなわちカウンター３の略全幅）より短く形成される。複数に分割されたスライド片５ａの寸法は同じ一定の寸法としてもよいし、長さがそれぞれ異なるスライド片５ａを組合わせてもよい。
これにより、カウンター３の略全幅に同等の長さを持つ支持部材４の両端部には、スライド片５０ａを左右にスライドさせるための調整代が確保され、スライド片５ａを支持部材４に沿ってスライドさせるという簡易な操作で、スライド片５ａとスライド片５ａとの間の隙間を配線孔９とすることができる。
【００２２】
例えば、テレビ８１の後方に配線孔９を形成したい場合は、テレビ８１に近接する後方部分に配線孔９が形成されるようにスライド片５ａをスライド移動させればよい（図２の矢印方向参照）。配線孔９の大きさは、スライド片５ａを左右に動かせば容易にその大きさを調整できる。よって、機器配線８のコネクタ８ａ（図１（ｂ）参照）をユニットキャビネット２内に引き込む際にはコネクタ８ａが通る幅寸法の配線孔９を形成し、コネクタ８ａを通した後、機器配線８が通るだけの隙間となるようにスライド片５ａを移動させることができる（図２拡大図参照）。
【００２３】
ここで貫通溝７の形成幅は、機器配線８のコネクタ８ａを通せる程度の寸法であればよく、カバー部材５の突出寸法、すなわち、カバー本体５１及び先端部５２の突出長さは、この貫通溝７を塞ぐ寸法であればよい。
またカウンター３とカバー部材５とが別部材で構成されるため、カウンター３の材質や色目などを合わせたカバー部材５を取付けることができ、キャビネット１の上面を統一感のあるものとすることができる。ここでは図示していないが、カウンター３の材質や色目を合わせて統一感をかもし出すため、カバー部材５の上面に化粧シートを貼り付けてもよい。
以上によれば、カバー部材５が目立たなくなり、キャビネット１全体の意匠性を損なうことがない。
【００２４】
カウンター３の壁面側縁部３０の両隅には、支持部材４及びカバー部材５を被覆するエンドキャップ６が設けられる。
エンドキャップ６は樹脂材などからなり、図２の拡大図に示すように支持部材４及びカバー部材５を覆うように上から被せて取付けられる。
エンドキャップ６は支持部材４及びカバー部材５を側部から覆う側面カバー部６０と、支持部材４及びカバー部材５の上面を覆う上面カバー部６１とを備えている。
上面カバー部６１は支持部材４とカバー部材５との間にできる段差に合わせて段差状に形成されており、上面カバー部６１の壁面１０側に配置される先側はカバー部材５の先端部５２の形状に合わせて湾曲して形成されている。
【００２５】
このように支持部材４及びカバー部材５を被覆するエンドキャップ６がカウンター３の壁面側縁部３０の両隅に設けられるので、カバー部材５の調整代を形成することができる。すなわち、上述したようにカバー部材５の全長（複数のスライド片５ａを連ねた長さ）が支持部材４の全長より短く形成され、配線孔９を形成しても余剰する隙間（すなわち調整代）をエンドキャップ６が覆い隠してくれるのである。もちろん配線孔９を形成しない場合でも調整代はエンドキャップ６で被覆されるので、配線孔９として使用しない調整代から埃などが侵入することを防止することができる。
またエンドキャップ６を設けることにより、カウンター３の角部を保護することができる。
【００２６】
次にキャビネット１のカバー部材５などの取付要領を説明する。
まずカウンター３の壁面側縁部３０に支持部材４をねじ４０で固着する。そしてカバー部材５（スライド片５ａ）の嵌合部５０ａを支持部材４の係止部４４に嵌め入れるようにして取付けていく。そしてカウンター３の壁面側縁部３０の両隅にエンドキャップ６を取付ければ施工完了である。
あとは壁面１０に沿ってキャビネット１を設置すればよく、スライド片５ａを移動させて任意の場所に配線孔９を形成すればよい。
【００２７】
ここで、支持部材５に片持ち支持されたカバー部材５の自由端側、すなわち先端部５２は軟質の樹脂材などからなるものとしてもよい。この場合は、先端部５２が壁面１０に当接しても先端部５２の湾曲面が柔らかくあたるので、壁面１０を傷つけることがない。
基部５０とカバー本体５１とは同じ材料で一体成型され、先端部５２はこれらと異なる材質からなるものであっても、例えばそれぞれが樹脂材からなる場合は同時成型（いわゆる２色成型）して形成することができる。
これによれば、カバー本体５１と先端部５２の接合部分が熱溶融されて成型されるので、互いに強固に一体固着され、部品点数が減り施工が容易となる。また後接着する工程を省略でき、コストダウンを図ることができる。もちろん先端部５２のみを別途成型した後に、カバー本体５１の先側に先端部５２を接着剤で後接着してもよい。
【００２８】
図４には支持部材４及びカバー部材５の形状の変形例を示している。上述の例と共通する部分には共通の符号を付し、共通する部分の説明は省略する。
図４に示す例は、支持部材４にねじ４０のねじ頭４０ａが収容される溝部４５が形成されている点で上述の例とは異なり、支持部材４の形状の異なりに応じてカバー部材５の基部５０の形状が異なるものである。
支持部材４は、平板状の固定部４１と、肩部４２と、カバー受け部４３とを備えており、固定部４１には係止部４４とねじ４０が挿通される挿通孔（不図示）が形成されている。固定部４１の下端部は壁面１０側に水平方向に屈曲した後、垂直且つ下方向に屈曲形成され、その後再び水平方向に屈曲してカバー部材５の基部５０の下端部を包持するようになっている。固定部４１からカバー受け部４３に至る屈曲部分と係止部４４の屈曲部分とにより凹状の溝部４５が形成され、この溝部４５にねじ頭４０ａが収容される。そしてこの溝部４５は、カバー部材５を係止部４４に嵌め入れ取付けると、カバー部材５の基部５０で隠れる状態となる。
これによれば、支持部材４を固着するためのねじ４０のねじ頭４０ａが溝部４５に収容された状態となるので、スライド片５ａを左右にスライドさせるときにもねじ頭４０ａが邪魔になることがなく、カバー部材５をスムーズにスライドさせることができる。
【００２９】
以上、キャビネット１、ユニットキャビネット２、カウンター３、支持部材４、カバー部材５の形状、大きさ、構成は図例に限定されるものではない。
例えばユニットキャビネット２の数は３個に限定されず、１個でもよいし、２個以上から構成されるものに適用することができる。またキャビネット１は置き設置タイプに限定されず、吊り施工タイプのものであってもよいことはいうまでもなく、キャビネット１に載置、収納されるものは図例のものに限定されず、パソコンやプリンタ、照明器具などを置くキャビネットなどにも適用することができる。
【符号の説明】
【００３０】
１      キャビネット
３      カウンター
３０      壁面側縁部
５      カバー部材
５２      先端部
７      貫通溝
９      配線孔
１０      壁面
【図１】
2011024872.tif 000003
【図２】
2011024872.tif 000004
【図３】
2011024872.tif 000005
【図４】
2011024872.tif 000006